(57)【特許請求の範囲】
【請求項１】
エレベータ昇降路内のガイドレール支持装置であって、
複数の第１のブラケット部材を有し、これらの第１のブラケット部材は、垂直方向に離間された状態で昇降路壁に固定されるように設けられており、
複数の第２のブラケット部材を有し、これらの第２のブラケット部材は、異なる前記第１のブラケット部材にそれぞれ固定されており、かつ前記第１のブラケット部材から離れるように突出するとともに前記第２のブラケット部材の残りの部分に対して固定して配置された、前記ガイドレールの支持用の少なくとも２つの自由支持端部をそれぞれ備えており、これらの支持端部は、一定の距離を間に有し、
前記支持端部とそれぞれ関連して設けられたクリップ部材を有し、これらのクリップ部材と支持端部とは、前記ガイドレールをそれぞれ所望位置に保持するために協働しており、この所望位置では、前記ガイドレールのガイド部が前記支持端部よりもさらに昇降路壁から離間されており、
前記第１のブラケット部材に対する前記第２のブラケット部材の位置を調整可能とし、これにより、前記第２のブラケット部材の昇降路壁に対する傾きおよび昇降路壁との離間距離が調整可能となるように、前記第１のブラケット部材と前記第２のブラケット部材との間には挿入部材が配置されていることを特徴とするガイドレール支持装置。
【請求項２】
前記クリップ部材は、支持面をそれぞれ含み、この支持面は、前記支持端部との整列状態を保持するようにガイドレールの端部と接触して設けられていることを特徴とする請求項１記載のガイドレール支持装置。
【請求項３】
ガイド部をそれぞれ有する複数のガイドレールと、
垂直方向に離間した状態で昇降路内に設けられた複数の取付装置と、を有し、前記取付装置は、
昇降路壁に固定されるように設けられた第１のブラケット部と、
前記第１のブラケット部に固定されており、かつ前記第１のブラケット部から離れるように突出するとともに第２のブラケット部の残りの部分に対して固定して配置された複数の自由支持端部を備える第２のブラケット部と、
前記支持端部とそれぞれ関連して設けられたクリップ部材と、を有し、前記クリップ部材と前記支持端部とは、協働して前記ガイドレールのガイド部が前記支持端部よりもさらに前記昇降路壁から離間された状態で前記ガイドレールを支持しているとともに、前記ガイドレール間の距離を一定に保持しており、
前記第１のブラケット部に対する前記第２のブラケット部の位置を調整可能とし、これにより、前記第２のブラケット部の前記昇降路壁に対する傾きおよび該昇降路壁との離間距離が調整可能となるように、前記第１のブラケット部と前記第２のブラケット部との間には挿入部材が配置されていることを特徴とするエレベータ装置。
【請求項４】
前記クリップ部材は、少なくとも１つの支持面をそれぞれ備え、この支持面は、対応するガイドレールの端部と接触して、前記第２のブラケット部材に対して前記ガイドレールを所望の整列状態に保持していることを特徴とする請求項３記載のエレベータ装置。
【請求項５】
前記クリップ部材は、支持面をそれぞれ備える複数のウェブ部を含むことを特徴とする請求項４記載のエレベータ装置。
【請求項６】
前記ガイドレールは、少なくとも１つの前記クリップ部材の端部を収容する収容部をそれぞれ含んでいることを特徴とする請求項４記載のエレベータ装置。
【請求項７】
かご室部分と釣合いおもりとを含み、これらのかご室部分と釣合いおもりとは、同じガイドレール上で支持されていることを特徴とする請求項３記載のエレベータ装置。
【請求項８】
エレベータ昇降路へのガイドレール設置方法であって、
（Ａ）複数の第１のブラケット部材を垂直方向に離間された状態で前記昇降路内の単一の壁に固定し、
（Ｂ）第２のブラケット部材の残りの部分に対して固定され、かつ一定の距離を間に有する複数の自由支持端部を備える第２のブラケット部材を、前記支持端部が前記第１のブラケット部材から離れる方向で突出するように前記第１のブラケット部材にそれぞれ固定するとともに、前記第１のブラケット部材に対する前記第２のブラケット部材の位置を調整可能とし、これにより、前記第２のブラケット部材の前記単一の壁に対する傾きおよび該単一の壁との離間距離が調整可能となるように、前記第１のブラケット部材と前記第２のブラケット部材との間に挿入部材を配置し、
（Ｃ）前記第２のブラケット部材の支持端部をそれぞれ整列し、
（Ｄ）前記ガイドレールのガイド部が前記支持端部よりも前記単一の壁からさらに離間されるように、前記支持端部と関連して設けられたクリップ部材を用いて前記支持端部にガイドレールを固定することを含むことを特徴とするガイドレール設置方法。
【請求項９】
エレベータかご室と釣合いおもりとを同じレール上で支持することを特徴とする請求項８記載のガイドレール設置方法。
【請求項１０】
前記クリップ部材は、前記ガイドレールと前記支持端部との相対的な回転を防止するように、対応するガイドレールの対応する面と接触する停止面をそれぞれ含んでいることを特徴とする請求項６記載のエレベータ装置。
【請求項１１】
前記クリップ部材と前記支持端部は、対応するガイドレールの１つと協働して、少なくとも２つの方向でガイドレールと支持端部との間の相対的な移動を規制すると同時に、第３の方向で相対的な移動を許容することを特徴とする請求項４記載のエレベータ装置。
【発明の詳細な説明】
【技術分野】
【０００１】  本発明は、主に、昇降路内でエレベータを支持する装置に関し、特に、エレベータかご室と釣合いおもりとを同じレール上で支持するエレベータ装置用のガイドレールを設置するとともに支持するための装置に関する。
【背景技術】
【０００２】  典型的なエレベータ装置は、昇降路内でビルの異なる階床の乗場間を移動するかごを含む。昇降路内で移動する釣合いおもりも一般に設けられている。従来の構成では、釣合いおもりとエレベータかご室は、別々のガイドレールの組を用いて昇降路内に支持されていた。【０００３】  かご室や釣合いおもりの構成にかかわらず、昇降路内にガイドレールを設置するとともに支持する作業は面倒である。鉛直線の数や昇降路内でガイドレールを支持するために必要な方法によって、設置作業時に複雑さが増すとともに費用がかさむ。【０００４】  エレベータの設置者が直面する課題の１つは、設置作業時にガイドレールの正確な整列状態を保持することである。ガイドレール間の距離は、昇降路の全長にわたって正確に設定する必要があり、そうでなければエレベータかご室の移動時に望ましくない振動が生じるおそれがある。【０００５】  エレベータの設置者が直面する課題には、他に種々のものがあり、当業者は、この作業を改善するために日々努力している。本発明は、昇降路内でエレベータを支持する改善された装置であって、設置作業を大幅に簡略化することができる装置の必要性に取り組むものである。
【発明の開示】
【０００６】  本発明は、一般に、エレベータ装置用のガイドレールを昇降路内で支持する装置に関する。本発明は、エレベータかごとエレベータ釣合いおもりとが同じガイドレール構造体上に乗るように設計されている。かごおよび釣合いおもりが共通のガイドレール形状の一部の上を走行するように、取付ブラケットおよびガイドレールが配置されているので、かご用および釣合いおもり用に別々のガイドレールを設ける必要がなくなる。
【０００７】  本発明の装置は、昇降路内の壁に固定された第１のブラケットを含む。第２のブラケットが、少なくとも１つの方向で位置を調整することができるように第１のブラケットに固定されている。第２のブラケットは、昇降路内でガイドレールを支持するための支持面を提供する支持部を含む。第２のブラケットのこれらの支持部は、昇降路にわたってガイドレール間の距離を一定に保つ。
【０００８】  本発明の種々の特徴および利点は、以下の現在の好適実施例の詳細な説明によって当業者に明らかとなる。
【発明を実施するための最良の形態】
【０００９】  図１には、エレベータ装置２０が概略的に示されている。エレベータかご室２２が、ガイドレール２４，２６に沿って昇降路（図示省略）を通って移動する。釣合いおもり２８も、同じガイドレール２４，２６に沿って昇降路内で移動する。本発明によって提供される重要な利点は、同じレール上でかご室２２と釣合いおもり２８とを支持できるという点である。【００１０】  図２に最もよく示されているように、エレベータかご室２２は、従来の支持アセンブリ３０によって支持されることが好ましく、この支持アセンブリ３０は、エレベータかご室２２がレール２４，２６に沿って移動するのを容易にする。スライド式ガイドまたはローラガイドとすることができる従来のガイド３２が、支持構造体３０とレール２４，２６との接続点となる。【００１１】  同様のガイド３６の組によって、釣合いおもり２８が、必要に応じてレール２４，２６に沿って移動可能となっている。【００１２】  エレベータ装置２０は、昇降路内でガイドレール２４，２６を支持する取付装置４０を含む。取付装置４０は、好ましくは選択された１つの昇降路壁に直接固定される第１のブラケット４２を含む。本発明の構成では、昇降路に沿って複数の取付装置４０が設けられている。一実施例では、ビルの各階床に関連してそれぞれ１つの取付装置４０が設けられている。換言すれば、昇降路に沿って設けられた乗場と少なくとも同じ数だけ取付装置４０が設けられることが好ましい。【００１３】  第１のブラケット４２は、ボルトやコンクリートアンカなどの従来の締結具を使用して昇降路壁５０に固定することができ、この締結具は、エレベータ装置が設置される特定の構造体によって決まる。【００１４】  第２のブラケット４４が、第１のブラケット４２に取り付けられている。第１のブラケット４２と第２のブラケット４４との間の２つの接続点にシム４６，４８が設けられていることが好ましい。シム４６，４８は、第１のブラケット４２に対して第２のブラケット４４の位置を調整することを可能とする。第１のブラケット４２は、昇降路壁に直接取り付けられているので、第２のブラケット４４の位置を第１のブラケットに対して調整することで、支持装置４０の位置を昇降路壁に対して調整することが可能となる。当業者であれば分かるように、昇降路壁は、その全長にわたって必ずしも正確すなわち垂直ではないので、エレベータ支持部品の所望の整列状態を保持するために調整が必要となることもある。【００１５】  第２のブラケット４４は、ボルト５２などの締結具を使用して第１のブラケット４２に固定されることが好ましい。ボルト５２の調整性およびシム４６，４８の使用によって、図３の矢印５４で概略的に示した調整が可能となる。第１のブラケット４２は、矢印５６で概略的に示した方向で昇降路壁５０に沿って調整が可能となる構成を含むことが好ましい。【００１６】  第２のブラケット４４は、２つの支持端部６０，６２をそれぞれ含む。第２のブラケット４４の構造によって、支持端部６０，６２の間の距離が一定に保たれる。よって、取付装置４０の位置におけるガイドレール間の距離は一定となる。【００１７】  複数の取付装置４０が昇降路内で適切に整列されていれば、昇降路にわたってガイドレール２４，２６間の距離が一定に保持される。つまり、各ブラケット４４の支持端部６０，６２の位置を調整することによって、昇降路にわたってガイドレールの位置が整列される。本発明では、ガイドレール間の距離を連続的に監視するとともに調整する必要がなくなるので、ガイドレールの設置が大幅に簡略化される。すなわち、本発明の使用によって、取付装置４０の設置時に簡略化された調整が可能となる。いったん第２のブラケット４４の各々の支持端部を整列すれば、ガイドレール２４，２６の整列状態およびこれらのガイドレール間の距離を希望どおりに容易に保持することができる。【００１８】  ガイドレール２４，２６は、ガイドレールと第２のブラケット４４との間の各々の接続点において、少なくとも１つのクリップ７０を用いて第２のブラケット４４の支持端部に支持されることが好ましい。図４ａ，図４ｂ、および図６は、このようなクリップ７０の好適な実施例を示している。一組の開口部７２が、第２のブラケット４４にクリップ７０をボルトもしくは他の手段で締結するために設けられている。クリップ７０の一端には、突出部７４が設けられることが好ましい。また、クリップ７０の中間部の近傍でかつウェブ部７８の端部に複数の支持面７６が設けられることが好ましい。【００１９】  図５に最もよく示されているように、ガイドレール（例としてガイドレール２４が示されている）は、ガイド３２に適合する第１の部分８０とガイド３６に適合する第２の部分８２とを含むことが好ましい。第３の部分８４が、クリップ７０と協働する第２のブラケット４４によって支持される。クリップ７０の突出部７４は、好ましくは、ガイドレール２４の第３の部分８４に設けられた対応する溝８６内に受け入れられる。支持面７６は、ガイドレール部８４の端部８８と接触することが好ましい。支持面７６と端部８８との接触によって、支持装置の第２のブラケット４４に対するガイドレールの望ましくない回転が防止される。当業者であれば分かるように、ガイドレール部８４を異なる厚さに設けることができる。また、溝８６の深さは、特定のエレベータ装置の設計によって異なりうる。さらに、製造公差によって、例えばガイドレールの長さもしくはガイドレールの異なる部分にわたっていくらかの寸法許容差が生じうる。【００２０】  ウェブ部７８と支持面７６とは、クリップ７０が第２のブラケット４４にしっかりと固定されているときに、ガイドレールの端部８８と接触してガイドレールが突出部７４と溝８６との接続点を中心に回転することを防止する。第２のブラケット４４に対して、ガイドレールを真っすぐに整列した状態に保つことが重要である。【００２１】  ガイドレールは、クリップ７０によって第２のブラケット４４に固定されると、壁５０から外向きに離れるように移動しないように、かつ壁５０に実質的に平行な水平方向に移動しないように規制される。しかし、ガイドレール２４，２６は、その長さに沿って取付ブラケット４４に対して長手方向に移動しないように規制されないことが好ましい。このような移動は、例えばエレベータの設置が完了した後のビルの沈下や、温度変化による膨張および収縮に対応するために必要である。���００２２】  もちろん、本発明に従って設計された装置では、異なる形状のレール、クリップ、およびガイドも有用である。当業者は、特定の状況における要求を満たすために、本明細書を参照して部品の設計を選択することができる。【００２３】  本発明に従って設計した取付装置４０によって、ガイドレールを整列するとともに昇降路の長さにわたってガイドレール間の距離を正確に保持する作業が簡略化されるので、取付装置４０を使用することでエレベータ装置をより容易に設置することができる。さらに、単一のレールの組を使用してかご室２２と釣合いおもり２８を支持することで、より経済的な装置が得られる。本発明に従って設計した装置を使用すると、設置者が必要とする鉛直線および測定値が従来の構成に比べてかなり減少する。一例では、整列のための測定値が５０％も減少する。さらに、本発明の構成では、別個の釣合いおもり用レールを設置および整列する必要がなくなる。【００２４】  本発明の他の利点は、エレベータ昇降路内でガイドレールを正確でかつ充分に支持するために要求される材料の量が減少することである。一例では、エレベータ装置を設置するために必要な鋼の量が５０％減少する。本発明に関連する労働および材料のコストの減少は、従来の装置と比べるとかなり大きい。【００２５】  上述の説明は、限定的ではなく例示的なものである。開示された実施例の変更および改良は、当業者には明らかであり、本発明の趣旨および範囲から必ずしも逸脱しない。本発明に与えられる法的な保護の範囲は、請求項を検討することのみよって判断される。
【図面の簡単な説明】
【図１】  本発明に従って設計されたエレベータ装置の概略説明図である。
【図２】  本発明に従って設計されたエレベータ装置におけるガイドレール支持装置の詳細を示す説明図である。
【図３】  本発明に従って設計された取付装置の好適実施例を示す説明図である。
【図４】  本発明の取付装置の部分説明図である。
【図５】  ガードレールと相互に作用する図４ａ，図４ｂに示す部品の機能を示す説明図である。
【図６】  図４ａ，図４ｂ，図５に示した部品の好適実施例の斜視図である。
【図１】
0005289664.tif 000002
【図２】
0005289664.tif 000003
【図３】
0005289664.tif 000004
【図４Ａ】
0005289664.tif 000005
【図４Ｂ】
0005289664.tif 000006
【図５】
0005289664.tif 000007
【図６】
0005289664.tif 000008